【手続補正書】
【提出日】平成25年7月9日(2013.7.9)
【手続補正１】
【補正対象書類名】特許請求の範囲
【補正対象項目名】全文
【補正方法】変更
【補正の内容】
【特許請求の範囲】
【請求項１】
ユーザの本人確認を要する申し込みを行うにあたり、前記ユーザに関するユーザ情報を入力するためのクライアント端末と、前記ユーザの本人確認を行うために用いる前記ユーザ情報を含む確認書類を撮影するための携帯端末と、前記申し込みが前記ユーザ本人の申し込みであるか否かを判定する受付サーバと、を含む本人確認システムであって、
前記受付サーバは、
前記クライアント端末から入力された申し込みを識別可能な識別情報と、前記受付サーバの電子メールの宛先情報と、を含む検証用情報を生成する検証用情報生成手段と、
前記検証用情報生成手段によって生成した検証用情報を前記クライアント端末へ送信する受付サーバ送信手段と、
前記クライアント端末で入力されたユーザ情報を受付けるユーザ情報受付手段と、
前記携帯端末の携帯端末送信手段によって送信された電子メールを受信する電子メール受信手段と、
前記電子メール受信手段によって受信した電子メールから取得した前記識別情報から特定される申し込みを行ったユーザのユーザ情報と、前記電子メールに含まれる本人確認用撮影データから特定されるユーザ情報と、を比較して、同じものと判定した場合は、前記申し込みがユーザ本人の申し込みであると判定し、同じものでないと判定した場合は、前記申し込みがユーザ本人の申し込みでないと判定する判定手段と、
を備え、
前記クライアント端末は、
前記受付サーバ送信手段によって送信された検証用情報を受信するクライアント端末受信手段と、
前記クライアント端末受信手段によって受信した検証用情報を前記クライアント端末の表示部へ表示する表示手段と、
を備え、
前記携帯端末は、
前記クライアント端末の表示部に表示された検証用情報を撮影して検証用撮影データを取得する検証情報撮影手段と、
前記検証情報撮影手段に依って取得した検証用撮影データを解析して得られる前記識別情報及び前記宛先情報を用いて電子メールを生成するメール生成手段と、
前記確認書類を撮影して本人確認用撮影データを取得する本人確認情報撮影手段と、
前記メール生成手段によって生成された電子メールに対して、前記本人確認情報撮影手段によって取得した本人確認用撮影データを添付するためのメール添付手段と、
前記メール添付手段に依って本人確認用撮影データを添付した電子メールを前記受付サーバに送信する携帯端末送信手段と、
を備えたことを特徴とする本人確認システム。
【請求項２】
前記本人確認情報撮影手段は、前記メール生成手段によって電子メールを生成した後、前記確認書類を撮影して本人確認用撮影データを取得することを特徴とする請求項１に記載の本人確認システム。
【請求項３】
前記本人確認情報撮影手段は、前記メール添付手段によって電子メールへ本人確認用撮影データを添付した後、続けて前記確認書類を撮影して本人確認用撮影データを取得することを特徴とする請求項１または２に記載の本人確認システム。
【請求項４】
前記判定手段は、本人確認情報撮影手段によって確認書類を撮影した時から前記電子メール受信手段によって受信した電子メールから前記本人確認用撮影データを取得した時までの時間が所定時間内であれば、前記ユーザ情報と前記本人確認用撮影データとの比較を行うことを特徴とする請求項１乃至３の何れか１項に記載の本人確認システム。
【請求項５】
前記判定手段によって、同じものでないと判定した場合は、前記電子メールに添付された本人確認用撮影データと前記ユーザ情報とを表示する表示手段を備えたことを特徴とする請求項１乃至４の何れか１項に記載の本人確認システム。
【請求項６】
前記判定手段によって、同じものでないと判定した場合は、前記電子メールに添付された全ての本人確認用撮影データと前記ユーザ情報とを表示する表示手段を備えたことを特徴とする請求項３または４に記載の本人確認システム。
【請求項７】
前記表示手段は、前記添付された全ての確認書類を撮影した時が、所定時間内に撮影されていない場合は、警告を出力することを特徴とする請求項６に記載の本人確認システム。
【請求項８】
前記クライアント端末は、
予め撮影した本人確認用撮影データを記憶するクライアント端末記憶手段と、
前記申し込みを行うにあたり、前記ユーザ情報、あるいは前記ユーザ情報及び前記クライアント端末記憶手段に記憶された本人確認用撮影データを前記受付サーバへ送信するクライアント端末送信手段と、
を備え、
前記受付サーバは、
前記クライアント端末送信手段によって送信された、前記ユーザ情報、あるいは前記ユーザ情報及び前記本人確認用撮影データを受信する受付サーバ受信手段、
を備え、
前記受付サーバ受信手段によって前記ユーザ情報を受信した場合は、前記検証用情報生成手段によって検証用情報を生成した後、前記受付サーバ送信手段は、前記クライアント端末へ前記検証用情報を送信し、
一方、前記サーバ受信手段によって前記ユーザ情報及び前記本人確認用撮影データを受信した場合は、前記判定手段によって、前記ユーザ情報及び前記本人確認用撮影データを比較することを特徴とする請求項１乃至７の何れか１項に記載の本人確認システム。
【請求項９】
ユーザの本人確認を要する申し込みを行うにあたり、前記ユーザに関するユーザ情報を入力し、受付サーバによって送信された前記申し込みを識別可能な識別情報と、前記受付サーバの電子メールの宛先情報と、を含む検証用情報を表示部へ表示するクライアント端末と、前記クライアント端末の表示部へ表示された検証用情報を撮影して検証用撮影データを取得し、取得した検証用撮影データを解析して得られた前記識別情報及び前記宛先情報を用いて電子メールを生成し、生成した電子メールに対して、前記ユーザの本人確認を行うために用いる前記ユーザ情報を含む確認書類を撮影して本人確認用撮影データを添付して前記受付サーバに送信する携帯端末と、ネットワークを介して、接続された受付サーバであって、
前記受付サーバは、
前記検証用情報を生成する検証用情報生成手段と、
前記検証用情報生成手段によって生成した検証用情報を前記クライアント端末へ送信する受付サーバ送信手段と、
前記クライアント端末で入力されたユーザ情報を受付けるユーザ情報受付手段と、
前記携帯端末から送信された前記本人確認用撮影データが添付された電子メールを受信する電子メール受信手段と、
前記電子メール受信手段によって受信した電子メールから取得した前記識別情報から特定される申し込みを行ったユーザのユーザ情報と、前記電子メールに含まれる本人確認用撮影データから特定されるユーザ情報と、を比較して、同じものと判定した場合は、前記申し込みがユーザ本人の申し込みであると判定し、同じものでないと判定した場合は、前記申し込みがユーザ本人の申し込みでないと判定する判定手段と、
を備えたことを特徴とする受付サーバ。
【請求項１０】
受付サーバにおいて生成したクライアント端末から入力された申し込みを識別可能な識別情報と、受付サーバの電子メールの宛先情報と、を含む検証用情報が表示された前記クライアント端末の表示部を撮影して検証用撮影データを取得し、取得した検証用撮影データを解析して得られる前記識別情報及び前記宛先情報を用いて電子メールを生成し、生成した電子メールに対して、前記ユーザの本人確認を行うために用いる前記ユーザ情報を含む確認書類を撮影して本人確認用撮影データを添付した後、前記電子メールを前記受付サーバに送信する携帯端末と、前記検証用情報を生成して前記クライアント端末へ送信し、前記携帯端末から送信された電子メールから取得した前記識別情報から特定される申し込みを行ったユーザのユーザ情報と、前記電子メールに含まれる前記本人確認用撮影データから特定されるユーザ情報と、を比較して、同じものと判定した場合は、前記申し込みがユーザ本人の申し込みであると判定し、同じものでないと判定した場合は、前記申し込みがユーザ本人の申し込みでないと判定する受付サーバと、ネットワークを介して接続された、クライアント端末であって、
前記クライアント端末は、
前記受付サーバから送信された検証用情報を受信するクライアント端末受信手段と、
前記クライアント端末受信手段によって受信した検証用情報を前記クライアント端末の表示部へ表示する表示手段と、
を備えたことを特徴とするクライアント端末。
【請求項１１】
旧請求項６
ユーザの本人確認を要する申し込みを行うにあたり、前記ユーザに関するユーザ情報を入力するためのクライアント端末と、前記ユーザの本人確認を行うために用いる前記ユーザ情報を含む確認書類を撮影するための携帯端末と、前記申し込みが前記ユーザ本人の申し込みであるか否かを判定する受付サーバと、を含む本人確認システムの制御方法であって、
前記受付サーバは、
前記クライアント端末から入力された申し込みを識別可能な識別情報と、前記受付サーバの電子メールの宛先情報と、を含む検証用情報を生成する検証用情報生成ステップと、
前記検証用情報生成ステップによって生成した検証用情報を前記クライアント端末へ送信する受付サーバ送信ステップと、
前記クライアント端末で入力されたユーザ情報を受付けるユーザ情報受付ステップと、
前記携帯端末の携帯端末送信ステップによって送信された電子メールを受信する電子メール受信ステップと、
前記電子メール受信手段によって受信した電子メールから取得した前記識別情報から特定される申し込みを行ったユーザのユーザ情報と、前記電子メールに含まれる本人確認用撮影データから特定されるユーザ情報と、を比較して、同じものと判定した場合は、前記申し込みがユーザ本人の申し込みであると判定し、同じものでないと判定した場合は、前記申し込みがユーザ本人の申し込みでないと判定する判定ステップと、
を実行し、
前記クライアント端末は、
前記受付サーバ送信ステップによって送信された検証用情報を受信するクライアント端末受信ステップと、
前記クライアント端末受信ステップによって受信した検証用情報を前記クライアント端末の表示部へ表示する表示ステップと、
を実行し、
前記携帯端末は、
前記クライアント端末の表示部に表示された検証用情報を撮影して検証用撮影データを取得する検証情報撮影ステップと、
前記検証情報撮影ステップに依って取得した検証用撮影データを解析して得られる前記識別情報及び前記宛先情報を用いて電子メールを生成するメール生成ステップと、
前記確認書類を撮影して本人確認用撮影データを取得する本人確認情報撮影ステップと、
前記メール生成ステップによって生成された電子メールに対して、前記本人確認情報撮影ステップによって取得した本人確認用撮影データを添付するためのメール添付ステップと、
前記メール添付ステップに依って本人確認用撮影データを添付した電子メールを前記受付サーバに送信する携帯端末送信ステップと、
を実行することを特徴とする本人確認システムの制御方法。
【請求項１２】
旧請求項７
ユーザの本人確認を要する申し込みを行うにあたり、前記ユーザに関するユーザ情報を入力するためのクライアント端末と、前記ユーザの本人確認を行うために用いる前記ユーザ情報を含む確認書類を撮影するための携帯端末と、前記申し込みが前記ユーザ本人の申し込みであるか否かを判定する受付サーバと、を含む本人確認システムにおいて読取実行されるプログラムであって、
前記受付サーバを、
前記クライアント端末から入力された申し込みを識別可能な識別情報と、前記受付サーバの電子メールの宛先情報と、を含む検証用情報を生成する検証用情報生成手段と、
前記検証用情報生成手段によって生成した検証用情報を前記クライアント端末へ送信する受付サーバ送信手段と、
前記クライアント端末で入力されたユーザ情報を受付けるユーザ情報受付手段と、
前記携帯端末の携帯端末送信手段によって送信された電子メールを受信する電子メール受信手段と、
前記電子メール受信手段によって受信した電子メールから取得した前記識別情報から特定される申し込みを行ったユーザのユーザ情報と、前記電子メールに含まれる本人確認用撮影データから特定されるユーザ情報と、を比較して、同じものと判定した場合は、前記申し込みがユーザ本人の申し込みであると判定し、同じものでないと判定した場合は、前記申し込みがユーザ本人の申し込みでないと判定する判定手段と、
して機能させ、
前記クライアント端末を、
前記受付サーバ送信手段によって送信された検証用情報を受信するクライアント端末受信手段と、
前記クライアント端末受信手段によって受信した検証用情報を前記クライアント端末の表示部へ表示する表示手段と、
して機能させ、
前記携帯端末を、
前記クライアント端末の表示部に表示された検証用情報を撮影して検証用撮影データを取得する検証情報撮影手段と、
前記検証情報撮影手段に依って取得した検証用撮影データを解析して得られる前記識別情報及び前記宛先情報を用いて電子メールを生成するメール生成手段と、
前記確認書類を撮影して本人確認用撮影データを取得する本人確認情報撮影手段と、
前記メール生成手段によって生成された電子メールに対して、前記本人確認情報撮影手段によって取得した本人確認用撮影データを添付するためのメール添付手段と、
前記メール添付手段に依って本人確認用撮影データを添付した電子メールを前記受付サーバに送信する携帯端末送信手段と、
して機能させることを特徴とするプログラム。
【請求項１３】
ユーザの本人確認を要する申し込みを行うにあたり、前記ユーザに関するユーザ情報を入力し、受付サーバによって送信された前記申し込みを識別可能な識別情報と、前記受付サーバの電子メールの宛先情報と、を含む検証用情報を表示部へ表示するクライアント端末と、前記クライアント端末の表示部へ表示された検証用情報を撮影して検証用撮影データを取得し、取得した検証用撮影データを解析して得られた前記識別情報及び前記宛先情報を用いて電子メールを生成し、生成した電子メールに対して、前記ユーザの本人確認を行うために用いる前記ユーザ情報を含む確認書類を撮影して本人確認用撮影データを添付して前記受付サーバに送信する携帯端末と、ネットワークを介して、接続された受付サーバの制御方法であって、
前記受付サーバは、
前記検証用情報を生成する検証用情報生成ステップと、
前記検証用情報生成ステップによって生成した検証用情報を前記クライアント端末へ送信する受付サーバ送信ステップと、
前記クライアント端末で入力されたユーザ情報を受付けるユーザ情報受付ステップと、
前記携帯端末から送信された前記本人確認用撮影データが添付された電子メールを受信する電子メール受信ステップと、
前記電子メール受信手段によって受信した電子メールから取得した前記識別情報から特定される申し込みを行ったユーザのユーザ情報と、前記電子メールに含まれる本人確認用撮影データから特定されるユーザ情報と、を比較して、同じものと判定した場合は、前記申し込みがユーザ本人の申し込みであると判定し、同じものでないと判定した場合は、前記申し込みがユーザ本人の申し込みでないと判定する判定ステップと、
を実行することを特徴とする受付サーバの制御方法。
【請求項１４】
ユーザの本人確認を要する申し込みを行うにあたり、前記ユーザに関するユーザ情報を入力し、受付サーバによって送信された前記申し込みを識別可能な識別情報と、前記受付サーバの電子メールの宛先情報と、を含む検証用情報を表示部へ表示するクライアント端末と、前記クライアント端末の表示部へ表示された検証用情報を撮影して検証用撮影データを取得し、取得した検証用撮影データを解析して得られた前記識別情報及び前記宛先情報を用いて電子メールを生成し、生成した電子メールに対して、前記ユーザの本人確認を行うために用いる前記ユーザ情報を含む確認書類を撮影して本人確認用撮影データを添付して前記受付サーバに送信する携帯端末と、ネットワークを介して、接続された受付サーバにおいて読取実行されるプログラムであって、
前記受付サーバを、
前記検証用情報を生成する検証用情報生成手段と、
前記検証用情報生成手段によって生成した検証用情報を前記クライアント端末へ送信する受付サーバ送信手段と、
前記クライアント端末で入力されたユーザ情報を受付けるユーザ情報受付手段と、
前記携帯端末から送信された前記本人確認用撮影データが添付された電子メールを受信する電子メール受信手段と、
前記電子メール受信手段によって受信した電子メールから取得した前記識別情報から特定される申し込みを行ったユーザのユーザ情報と、前記電子メールに含まれる本人確認用撮影データから特定されるユーザ情報と、を比較して、同じものと判定した場合は、前記申し込みがユーザ本人の申し込みであると判定し、同じものでないと判定した場合は、前記申し込みがユーザ本人の申し込みでないと判定する判定手段と、
して機能させることを特徴とするプログラム。
【請求項１５】
受付サーバにおいて生成したクライアント端末から入力された申し込みを識別可能な識別情報と、受付サーバの電子メールの宛先情報と、を含む検証用情報が表示された前記クライアント端末の表示部を撮影して検証用撮影データを取得し、取得した検証用撮影データを解析して得られる前記識別情報及び前記宛先情報を用いて電子メールを生成し、生成した電子メールに対して、前記ユーザの本人確認を行うために用いる前記ユーザ情報を含む確認書類を撮影して本人確認用撮影データを添付した後、前記電子メールを前記受付サーバに送信する携帯端末と、前記検証用情報を生成して前記クライアント端末へ送信し、前記携帯端末から送信された電子メールから取得した前記識別情報から特定される申し込みを行ったユーザのユーザ情報と、前記電子メールに含まれる前記本人確認用撮影データから特定されるユーザ情報と、を比較して、同じものと判定した場合は、前記申し込みがユーザ本人の申し込みであると判定し、同じものでないと判定した場合は、前記申し込みがユーザ本人の申し込みでないと判定する受付サーバと、ネットワークを介して接続された、クライアント端末の制御方法であって、
前記クライアント端末は、
前記受付サーバから送信された検証用情報を受信するクライアント端末受信ステップと、
前記クライアント端末受信ステップによって受信した検証用情報を前記クライアント端末の表示部へ表示する表示ステップと、
を実行することを特徴とするクライアント端末の制御方法。
【請求項１６】
受付サーバにおいて生成したクライアント端末から入力された申し込みを識別可能な識別情報と、受付サーバの電子メールの宛先情報と、を含む検証用情報が表示された前記クライアント端末の表示部を撮影して検証用撮影データを取得し、取得した検証用撮影データを解析して得られる前記識別情報及び前記宛先情報を用いて電子メールを生成し、生成した電子メールに対して、前記ユーザの本人確認を行うために用いる前記ユーザ情報を含む確認書類を撮影して本人確認用撮影データを添付した後、前記電子メールを前記受付サーバに送信する携帯端末と、前記検証用情報を生成して前記クライアント端末へ送信し、前記携帯端末から送信された電子メールから取得した前記識別情報から特定される申し込みを行ったユーザのユーザ情報と、前記電子メールに含まれる前記本人確認用撮影データから特定されるユーザ情報と、を比較して、同じものと判定した場合は、前記申し込みがユーザ本人の申し込みであると判定し、同じものでないと判定した場合は、前記申し込みがユーザ本人の申し込みでないと判定する受付サーバと、ネットワークを介して接続された、クライアント端末で読取実行されるプログラムであって、
前記クライアント端末を、
前記受付サーバから送信された検証用情報を受信するクライアント端末受信手段と、
前記クライアント端末受信手段によって受信した検証用情報を前記クライアント端末の表示部へ表示する表示手段と、
して機能させることを特徴とするプログラム。
【手続補正２】
【補正対象書類名】明細書
【補正対象項目名】００１３
【補正方法】変更
【補正の内容】
【００１３】
上記課題を解決するための第１の発明は、ユーザの本人確認を要する申し込みを行うにあたり、前記ユーザに関するユーザ情報を入力するためのクライアント端末と、前記ユーザの本人確認を行うために用いる前記ユーザ情報を含む確認書類を撮影するための携帯端末と、前記申し込みが前記ユーザ本人の申し込みであるか否かを判定する受付サーバと、を含む本人確認システムであって、前記受付サーバは、前記クライアント端末から入力された申し込みを識別可能な識別情報と、前記受付サーバの電子メールの宛先情報と、を含む検証用情報を生成する検証用情報生成手段と、前記検証用情報生成手段によって生成した検証用情報を前記クライアント端末へ送信する受付サーバ送信手段と、前記クライアント端末で入力されたユーザ情報を受付けるユーザ情報受付手段と、前記携帯端末の携帯端末送信手段によって送信された電子メールを受信する電子メール受信手段と、前記電子メール受信手段によって受信した電子メールから取得した前記識別情報から特定される申し込みを行ったユーザのユーザ情報と、前記電子メールに含まれる本人確認用撮影データから特定されるユーザ情報と、を比較して、同じものと判定した場合は、前記申し込みがユーザ本人の申し込みであると判定し、同じものでないと判定した場合は、前記申し込みがユーザ本人の申し込みでないと判定する判定手段と、を備え、前記クライアント端末は、前記受付サーバ送信手段によって送信された検証用情報を受信するクライアント端末受信手段と、前記クライアント端末受信手段によって受信した検証用情報を前記クライアント端末の表示部へ表示する表示手段と、を備え、前記携帯端末は、前記クライアント端末の表示部に表示された検証用情報を撮影して検証用撮影データを取得する検証情報撮影手段と、前記検証情報撮影手段に依って取得した検証用撮影データを解析して得られる前記識別情報及び前記宛先情報を用いて電子メールを生成するメール生成手段と、前記確認書類を撮影して本人確認用撮影データを取得する本人確認情報撮影手段と、前記メール生成手段によって生成された電子メールに対して、前記本人確認情報撮影手段によって取得した本人確認用撮影データを添付するためのメール添付手段と、前記メール添付手段に依って本人確認用撮影データを添付した電子メールを前記受付サーバに送信する携帯端末送信手段と、を備えたことを特徴とする本人確認システムである。
【手続補正３】
【補正対象書類名】明細書
【補正対象項目名】００１４
【補正方法】変更
【補正の内容】
【００１４】
上記課題を解決するための第２の発明は、ユーザの本人確認を要する申し込みを行うにあたり、前記ユーザに関するユーザ情報を入力するためのクライアント端末と、前記ユーザの本人確認を行うために用いる前記ユーザ情報を含む確認書類を撮影するための携帯端末と、前記申し込みが前記ユーザ本人の申し込みであるか否かを判定する受付サーバと、を含む本人確認システムの制御方法であって、前記受付サーバは、前記クライアント端末から入力された申し込みを識別可能な識別情報と、前記受付サーバの電子メールの宛先情報と、を含む検証用情報を生成する検証用情報生成ステップと、前記検証用情報生成ステップによって生成した検証用情報を前記クライアント端末へ送信する受付サーバ送信ステップと、前記クライアント端末で入力されたユーザ情報を受付けるユーザ情報受付ステップと、前記携帯端末の携帯端末送信ステップによって送信された電子メールを受信する電子メール受信ステップと、前記電子メール受信手段によって受信した電子メールから取得した前記識別情報から特定される申し込みを行ったユーザのユーザ情報と、前記電子メールに含まれる本人確認用撮影データから特定されるユーザ情報と、を比較して、同じものと判定した場合は、前記申し込みがユーザ本人の申し込みであると判定し、同じものでないと判定した場合は、前記申し込みがユーザ本人の申し込みでないと判定する判定ステップと、を実行し、前記クライアント端末は、前記受付サーバ送信ステップによって送信された検証用情報を受信するクライアント端末受信ステップと、前記クライアント端末受信ステップによって受信した検証用情報を前記クライアント端末の表示部へ表示する表示ステップと、を実行し、前記携帯端末は、前記クライアント端末の表示部に表示された検証用情報を撮影して検証用撮影データを取得する検証情報撮影ステップと、前記検証情報撮影ステップに依って取得した検証用撮影データを解析して得られる前記識別情報及び前記宛先情報を用いて電子メールを生成するメール生成ステップと、前記確認書類を撮影して本人確認用撮影データを取得する本人確認情報撮影ステップと、前記メール生成ステップによって生成された電子メールに対して、前記本人確認情報撮影ステップによって取得した本人確認用撮影データを添付するためのメール添付ステップと、前記メール添付ステップに依って本人確認用撮影データを添付した電子メールを前記受付サーバに送信する携帯端末送信ステップと、を実行することを特徴とする本人確認システムの制御方法である。
【手続補正４】
【補正対象書類名】明細書
【補正対象項目名】００１５
【補正方法】変更
【補正の内容】
【００１５】
上記課題を解決するための第３の発明は、ユーザの本人確認を要する申し込みを行うにあたり、前記ユーザに関するユーザ情報を入力するためのクライアント端末と、前記ユーザの本人確認を行うために用いる前記ユーザ情報を含む確認書類を撮影するための携帯端末と、前記申し込みが前記ユーザ本人の申し込みであるか否かを判定する受付サーバと、を含む本人確認システムにおいて読取実行されるプログラムであって、前記受付サーバを、前記クライアント端末から入力された申し込みを識別可能な識別情報と、前記受付サーバの電子メールの宛先情報と、を含む検証用情報を生成する検証用情報生成手段と、前記検証用情報生成手段によって生成した検証用情報を前記クライアント端末へ送信する受付サーバ送信手段と、前記クライアント端末で入力されたユーザ情報を受付けるユーザ情報受付手段と、前記携帯端末の携帯端末送信手段によって送信された電子メールを受信する電子メール受信手段と、前記電子メール受信手段によって受信した電子メールから取得した前記識別情報から特定される申し込みを行ったユーザのユーザ情報と、前記電子メールに含まれる本人確認用撮影データから特定されるユーザ情報と、を比較して、同じものと判定した場合は、前記申し込みがユーザ本人の申し込みであると判定し、同じものでないと判定した場合は、前記申し込みがユーザ本人の申し込みでないと判定する判定手段と、して機能させ、前記クライアント端末を、前記受付サーバ送信手段によって送信された検証用情報を受信するクライアント端末受信手段と、前記クライアント端末受信手段によって受信した検証用情報を前記クライアント端末の表示部へ表示する表示手段と、して機能させ、前記携帯端末を、前記クライアント端末の表示部に表示された検証用情報を撮影して検証用撮影データを取得する検証情報撮影手段と、前記検証情報撮影手段に依って取得した検証用撮影データを解析して得られる前記識別情報及び前記宛先情報を用いて電子メールを生成するメール生成手段と、前記確認書類を撮影して本人確認用撮影データを取得する本人確認情報撮影手段と、前記メール生成手段によって生成された電子メールに対して、前記本人確認情報撮影手段によって取得した本人確認用撮影データを添付するためのメール添付手段と、前記メール添付手段に依って本人確認用撮影データを添付した電子メールを前記受付サーバに送信する携帯端末送信手段と、して機能させることを特徴とするプログラムである。